(57)【特許請求の範囲】
【請求項１】
中心穴の一部に内径が奥行き方向にかけて縮小するテーパー形の嵌合穴部が形成されたインプラント体と、
前記嵌合穴部に嵌合するテーパー形の嵌合軸部を有するアバットメントと、
前記アバットメントの軸方向に沿って形成された貫通孔に挿通されると共に、前記インプラント体の前記中心穴に形成された連れ回り規制穴部に係合して軸周りの回転が規制される連れ回り規制軸部を有するクランパピンと、
前記アバットメントの前記貫通孔の一部に形成された内ネジに螺合する外ネジ及び前記クランパピンの一部に形成された外ネジに螺合する内ネジを有し、前記クランパピンと前記アバットメントを相対移動させるロックナットと、
前記クランパピンと前記インプラント体の前記中心穴の間に介在し、前記クランパピンと前記アバットメントの相対移動に伴って前記クランパピンの抜け止め軸部と前記インプラント体の抜け止め穴部に係合して、前記クランパピンと前記インプラント体の相対移動を規制するクランパと、
を備えることを特徴とするインプラント。
【請求項２】
前記嵌合穴部及び前記嵌合軸部からなる耐圧機構に、前記インプラント体に対する前記アバットメントの回転を防止する回転防止機構が一体的に形成されることを特徴とする請求項１に記載のインプラント。
【請求項３】
前記耐圧機構の長さは、前記インプラント体の全長の１／３以上の長さに形成されることを特徴とする請求項１又は２に記載のインプラント。
【請求項４】
前記回転防止機構は、
前記嵌合穴部の内周面に前記奥行き方向に沿って形成された複数の突出部と、
前記嵌合軸部の外周面に前記軸方向に沿って形成されて前記複数の突出部がそれぞれ差し込まれる複数の溝部と、
からなることを特徴とする請求項１から３のうちいずれか一項に記載のインプラント。
【請求項５】
前記複数の突出部の前記奥行き方向に直交する断面形状及び前記複数の溝部の前記軸方向に直交する断面形状は、それぞれ円弧形に形成されることを特徴とする請求項４に記載のインプラント。
【請求項６】
前記インプラント体及び前記アバットメントが、セラミックスで形成されていることを特徴とする請求項１から５のうちいずれか一項に記載のインプラント。
【請求項７】
前記インプラント体及び前記アバットメントが、ジルコニアで形成されていることを特徴とする請求項６に記載のインプラント。
【請求項８】
前記クランパピン、前記クランパ及び前記ロックナットが、チタンまたはチタン合金で形成されていることを特徴とする請求項１から７のうちいずれか一項に記載のインプラント。
【請求項９】
インプラント体の中心穴に嵌合するアバットメント体において、
外径が軸方向にかけて縮小するテーパー形の嵌合軸部が形成されたアバットメントと、
前記アバットメントの前記軸方向に沿って形成された貫通孔に挿通されると共に、前記インプラント体の前記中心穴に形成された連れ回り規制穴部に係合して軸周りの回転が規制される連れ回り規制軸部を有するクランパピンと、
前記アバットメントの前記貫通孔の一部に形成された内ネジに螺合する外ネジ及び前記クランパピンの一部に形成された外ネジに螺合する内ネジを有し、前記クランパピンと前記アバットメントを相対移動させるロックナットと、
前記クランパピンと前記インプラント体の前記中心穴の間に介在し、前記クランパピンと前記アバットメントの相対移動に伴って前記クランパピンの抜け止め軸部と前記インプラント体の抜け止め穴部に係合して、前記クランパピンと前記インプラント体の相対移動を規制するクランパと、
を備えることを特徴とするアバットメント体。
【請求項１０】
前記嵌合軸部は、外周面に前記軸方向に沿う複数の溝部が形成されることを特徴とする請求項９に記載のアバットメント体。
【発明の詳細な説明】
【技術分野】
【０００１】
本発明はインプラントおよびその着脱方法に関するものであり、例えば永久歯の歯根欠損等の際に顎の骨に埋め込まれる歯科用インプラントおよびその着脱方法に関するものである。
【背景技術】
【０００２】
体内に埋め込まれるインプラントとして、特に歯科用インプラントが注目されている。
歯科用インプラントは、一般に、虫歯や破損により永久歯の歯根が失われた場合、歯槽骨に設けた穴にインプラント体を挿入して固定するものである。この歯科用インプラントは、従来、歯槽骨に固定されるインプラント体と、インプラント体に螺着され人工歯冠を装着可能なアバットメントと、で構成されている。
【０００３】
特許文献１に記載されるように、インプラント体は、その上端面に開口する穴部を有している。この穴部には、六角形穴部とテーパー穴部が形成される。
また、インプラント体には、上記六角形穴部に挿入される六角形軸部と、上記テーパー穴部に接触するテーパー軸部が形成される。
【０００４】
六角形穴部及び六角形軸部は、回転防止部として機能する。すなわち、咬合圧に対して垂直方向の回転を防止するものであり、インプラント体に対するアバットメントの回転を防止する。
また、テーパー穴部及びテーパー軸部は、咬合圧を受けるために設けられており、回転防止部（六角形穴部及び六角形軸部）に隣接して形成される。
【０００５】
そして、インプラント体の穴部にアバットメントを差し込むことで、テーパー穴部にテーパー軸部が楔状に食い込むようになっている。
【先行技術文献】
【特許文献】
【０００６】
【特許文献１】特開２００４−１１３７１８号公報
【発明の概要】
【発明が解決しようとする課題】
【０００７】
上記従来の技術には、以下の課題が残されている。すなわち、特許文献１に記載の技術では、咬合圧を受けるために設けられたテーパー部（テーパー穴部にテーパー軸部）に咬合圧が集中するため、インプラント体のテーパー穴部の近傍等に亀裂が発生し、最悪の場合にはインプラント体が割れてしまうという問題がある。
【０００８】
また、六角形形状の回転防止部は、繰り返し咬合圧を受けると、六角形形状の頂点部分が磨耗して、徐々にガタが発生するという問題がある。
【０００９】
また、従来、アバットメントの材料としては、純チタンが多く採用されているが、黒色のチタン色が人工骨表面に映ると共に、術後に歯茎が下がった場合、アバットメントが露出してチタン色が目立ってしまい、審美性に劣るという不都合もあった。
このため、アバットメントを、審美性に優れた白色のセラミックスで形成することが検討されているが、アバットメント自体にネジ構造を設けた従来の固定方法では、非常に高硬度なジルコニア等のセラミックスでネジ締結を行うと、ネジが破損してしまうおそれがあった。
【００１０】
そこで、本発明は、高い咬合圧を受けても亀裂等が発生しづらい構造を備えつつ、インプラント体に対するアバットメントの回転を長期間に亘って安定して防止することができるインプラント、アバットメント体を提供することを目的とする。
【課題を解決するための手段】
【００１１】
上記課題を解決するために、本発明は、以下の手段を採用した。
本発明に係るインプラントは、中心穴の一部に内径が奥行き方向にかけて縮小するテーパー形の嵌合穴部が形成されたインプラント体と、前記嵌合穴部に嵌合するテーパー形の嵌合軸部を有するアバットメントと、前記アバットメントの軸方向に沿って形成された貫通孔に挿通されると共に、前記インプラント体の前記中心穴に形成された連れ回り規制穴部に係合して軸周りの回転が規制される連れ回り規制軸部を有するクランパピンと、前記アバットメントの前記貫通孔の一部に形成された内ネジに螺合する外ネジ及び前記クランパピンの一部に形成された外ネジに螺合する内ネジを有し、前記クランパピンと前記アバットメントを相対移動させるロックナットと、前記クランパピンと前記インプラント体の前記中心穴の間に介在し、前記クランパピンと前記アバットメントの相対移動に伴って前記クランパピンの抜け止め軸部と前記インプラント体の抜け止め穴部に係合して、前記クランパピンと前記インプラント体の相対移動を規制するクランパと、を備えることを特徴とする。
前記嵌合穴部及び前記嵌合軸部からなる耐圧機構に、前記インプラント体に対する前記アバットメントの回転を防止する回転防止機構が一体的に形成されることを特徴とする。
【００１２】
前記耐圧機構の長さは、前記インプラント体の全長の１／３以上の長さに形成されることを特徴とする。
【００１３】
前記回転防止機構は、前記嵌合穴部の内周面に前記奥行き方向に沿って形成された複数の突出部と、前記嵌合軸部の外周面に軸方向に沿って形成されて前記複数の突出部がそれぞれ差し込まれる複数の溝部と、からなることを特徴とする。
【００１４】
前記複数の突出部の前記奥行き方向に直交する断面形状及び前記複数の溝部の前記軸方向に直交する断面形状は、それぞれ円弧形に形成されることを特徴とする。
【００１６】
前記インプラント体及び前記アバットメントが、セラミックスで形成されていることを特徴とする。
【００１７】
前記インプラント体及び前記アバットメントが、ジルコニアで形成されていることを特徴とする。
【００１８】
前記クランパピン、前記クランパ及び前記ロックナットが、チタンまたはチタン合金で形成されていることを特徴とする。
【００２０】
本発明に係るアバットメント体は、インプラント体の中心穴に嵌合するアバットメント体において、外径が軸方向にかけて縮小するテーパー形の嵌合軸部が形成されたアバットメントと、前記アバットメントの前記軸方向に沿って形成された貫通孔に挿通されると共に、前記インプラント体の前記中心穴に形成された連れ回り規制穴部に係合して軸周りの回転が規制される連れ回り規制軸部を有するクランパピンと、前記アバットメントの前記貫通孔の一部に形成された内ネジに螺合する外ネジ及び前記クランパピンの一部に形成された外ネジに螺合する内ネジを有し、前記クランパピンと前記アバットメントを相対移動させるロックナットと、前記クランパピンと前記インプラント体の前記中心穴の間に介在し、前記クランパピンと前記アバットメントの相対移動に伴って前記クランパピンの抜け止め軸部と前記インプラント体の抜け止め穴部に係合して、前記クランパピンと前記インプラント体の相対移動を規制するクランパと、を備えることを特徴とする。
【００２１】
前記嵌合軸部は、外周面に前記軸方向に沿う複数の溝部が形成されることを特徴とする。
【発明の効果】
【００２２】
本発明によれば、咬合圧を受けても亀裂が発生しづらい構造を備えるインプラントを提供することができる。また、インプラント体に対するアバットメントの回転を長期間に亘って安定して防止することができるインプラント、アバットメント体を提供することができる。
【図面の簡単な説明】
【００２３】
【図１】インプラントの歯科分野における使用例の説明図である。
【図２】実施形態に係るインプラントの分解斜視図である。
【図３】インプラントの側面図である。
【図４】インプラントの縦断面図である。
【図５】インプラントの横断面図である。
【図６】インプラント体を示す図である。
【図７】アバットメントを示す図である。
【図８】クランパピンを示す図である。
【図９】クランパを示す図である。
【図１０】ロックナットを示す図である。
【発明を実施するための形態】
【００２４】
以下、本発明の実施形態につき図面を参照して説明する。なお、下記説明において示す各種寸法等は一例である。
（デンタルインプラント）
図１は、インプラント５の歯科分野における使用例の説明図である。
インプラント５は、歯槽骨２に固定されるインプラント体１０と、インプラント体１０に対して着脱可能とされ、人工歯冠６が装着されるアバットメント体８と、を備えている。
【００２５】
インプラント体１０の外周面には雄ネジ１２が形成され、この雄ネジ１２を歯槽骨２に形成した穴に螺合することで、インプラント体１０が歯槽骨２に固定される。
また、アバットメント体８の外周面に接着剤等を用いて人工歯冠６が装着される。インプラント体１０とアバットメント体８との当接部Ｓは、歯茎４または歯槽骨２によって覆われることになる。
なお、両者の当接部Ｓの当接面は精度良く仕上げられ、当接面が相互に密着して異物の侵入を防止している。
【００２６】
図２は、本実施形態のインプラント５の分解斜視図である。図３は、インプラント５の側面図である。図４は、インプラント５の縦断面図である。図５は、インプラント５の横断面図である。
上述したように、本実施形態のインプラント５は、インプラント体１０とアバットメント体８とを備えている。
アバットメント体８は、アバットメント２０、クランパピン３０、クランパ４０及びロックナット５０を組み立てたものである。
すなわち、アバットメント体８は、人工歯冠６が装着される軸形部材のアバットメント２０、アバットメント２０の貫通孔２４に挿通すると共にインプラント５に係合する軸状のクランパピン３０、クランパピン３０に嵌め合わされるリング状のクランパ４０及びアバットメント２０とクランパピン３０に螺合するロックナット５０を備えている。
以下の説明では、クランパピン３０の中心軸をＺ軸（Ｚ方向、奥行き方向、軸方向）とし、インプラント体１０側を＋Ｚ側（＋Ｚ方向）とし、アバットメント２０側を−Ｚ側（−Ｚ方向）とする。
【００２７】
図６は、インプラント体１０を示す図である。
インプラント体１０は、ジルコニア等のセラミックス材料で形成された軸形部材であり、フィクスチャーとも呼ばれる。インプラント体１０は、円柱状に形成され、その外周面には雄ネジ１２が形成されている。
インプラント体１０の−Ｚ側端面の中心には、中心穴１３が開口する。
中心穴１３は、−Ｚ側端面から＋Ｚ側に向かって内径が徐々に縮小（縮径）するテーパー穴部１４、内径が徐々に拡大（拡径）する逆テーパー穴部１５、平行かつ対向する二つの内側面からなる平行二面１６Ａが形成された係合穴部１６が連続している。
【００２８】
テーパー穴部１４のテーパー角は、例えば８°である。テーパー穴部１４の平均直径は、例えば２ｍｍである。そして、テーパー穴部１４の長さ（深さ）は、インプラント体１０の全長（例えば１０ｍｍ）の１／３以上の長さ（例えば４〜５ｍｍ）に形成される。
テーパー穴部１４の内周側面には、Ｚ方向に沿う複数の突起１７（突出部）が形成される。複数の突起１７（突出部）は、中心穴１３の周方向において、等間隔（等角度）に配置される。本実施形態では、突起１７は５本である。
また、突起１７のＺ軸に直交する断面の形状は蒲鉾形、すなわち頂部側が円弧形になっている。
【００２９】
逆テーパー穴部１５の最小内径は、テーパー穴部１４の最小内径よりも小さい。したがって、テーパー穴部１４と逆テーパー穴部１５の接続部分には、中心穴１３の内周側に突出する突出部位（抜け止め穴部）１５Ａが形成される。
逆テーパー穴部１５のテーパー角は、例えば１０°である。逆テーパー穴部１５の長さ（深さ）は、例えば２．５ｍｍである。
【００３０】
係合穴部１６は、対向する二つの円弧形内周側面と平行かつ対向する二つの内側面（平行二面（連れ回り規制穴部）１６Ａ）からなる。係合穴部１６の長さ（深さ）は、例えば１．２ｍｍである。二つの平行二面１６Ａの幅（二面幅）は、約１．１ｍｍである。
【００３１】
図７は、アバットメント２０を示す図である。
アバットメント２０は、人工歯冠６が装着される本体部２１と、本体部２１の一端側（＋Ｚ側）から延設してインプラント体１０の中心穴１３に内挿されるテーパー軸部２２と、からなる。
アバットメント２０は、審美性に優れた白色のセラミックス材料で一体的に形成されている。セラミックス材料として、本実施形態ではジルコニアが採用されている。
【００３２】
テーパー軸部２２のテーパー角は、例えば８°である。つまり、インプラント体１０の中心穴１３のテーパー穴部１４の角度と同一である。
テーパー軸部２２の平均内径は、例えば２ｍｍである。テーパー軸部２２の長さは、テーパー穴部１４と同一又は長く形成される。例えば、６ｍｍである。
テーパー軸部２２の外周側面には、Ｚ方向に沿って、複数の溝部２３が形成される。複数の溝部２３は、テーパー軸部２２の周方向において、等間隔（等角度）に配置される。本実施形態では、溝部２３は５本である。つまり、テーパー穴部１４の内周側面に形成される突起１７と同数である。
また、溝部２３のＺ軸に直交する断面の形状は蒲鉾形、すなわち頂部側が円弧形になっている。つまり、テーパー穴部１４の内周側面に形成される突起１７と同形状である。
【００３３】
すなわち、インプラント体１０の中心穴１３にアバットメント２０を挿入すると、アバットメント２０のテーパー軸部２２がインプラント体１０の中心穴１３のテーパー穴部１４に嵌合する。この際、テーパー軸部２２に形成された５本の溝部２３は、テーパー穴部１４に形成された５本の突起１７に差し込まれる。
【００３４】
アバットメント２０の中心には、Ｚ方向に貫通する貫通孔２４が形成される。
貫通孔２４のうち、本体部２１に対応する部位は、内径が約２．５ｍｍに形成され、その一部にＭ２．５の内ネジ２５が設けられる。内ネジ２５のネジ寸法などは、貫通孔２４の内径等に応じて、適宜変更可能である。
また、貫通孔２４のうち、テーパー軸部２２に対応する部位は、内径が約１ｍｍに形成され、クランパピン３０がほぼ隙間なく挿通される。
【００３５】
図８は、クランパピン３０を示す図である。
クランパピン３０は細長い軸形部材であり、チタンまたはチタン合金により形成される。クランパピン３０の直径は、約１ｍｍである。
クランパピン３０の一端側（＋Ｚ側）には、インプラント体１０の中心穴１３の最深部に形成された係合穴部１６に嵌め込まれる係合部３１が設けられる。
係合部３１は、＋Ｚ側に向けて外径が徐々に拡大（拡径）するテーパー部位３１Ａと、その外側面に、平行かつ背向する二つ面からなる平行二面３１Ｂとが形成されたものである。
テーパー部位（抜け止め軸部）３１Ａの角度は、約３０°である。また、平行二面（連れ回り規制軸部）３１Ｂの幅（二面幅）は、約１．１ｍｍである。
【００３６】
一方、クランパピン３０の他端側（−Ｚ側）には、Ｍ１の外ネジ３２が設けられる。外ネジ３２のネジ寸法などは、クランパピン３０の直径等に応じて、適宜変更可能である。
クランパピン３０の長さは、インプラント５を組み立てた際に、外ネジ３２がアバットメント２０の貫通孔２４の端部（−Ｚ側）に設けられた内ネジ２５と、Ｚ方向においてほぼ同一位置となるような長さとなっている。
【００３７】
図９は、クランパ４０を示す図である。
クランパ４０は、リング形部材であり、チタンまたはチタン合金により形成される。クランパ４０の外径は、約１．５ｍｍであり、インプラント体１０の中心穴１３の逆テーパー穴部１５の最小内径より僅かに小径である。なお、クランパ４０の外径を逆テーパー穴部１５の最小内径より僅かに大径として、逆テーパー穴部１５にこじ入れてもよい。
クランパ４０の内径は、約１ｍｍであり、クランパピン３０に外嵌して用いられる。そして、クランパピン３０の係合部３１に引っ掛かる位置に配置される。
そして、クランパ４０は、インプラント５を組み立てた際に、インプラント体１０の中心穴１３の逆テーパー穴部１５に収容されるように配置される。
【００３８】
クランパ４０は、一端側（＋Ｚ側）に、３本の櫛歯４１が形成される。この櫛歯４１は、クランパ４０がクランパピン３０の係合部３１の乗り上がった際に、外周側に向けて弾性変形して広がる部位である。つまり、クランパ４０の櫛歯４１は、いわゆるコレットチャックと同様な動作をする。
そして、クランパ４０の櫛歯４１が外周側に向けて広がると、テーパー穴部１４の最小内径よりも大径となる。したがって、クランパ４０は、インプラント体１０の中心穴１３の逆テーパー穴部１５の上端において内周側に突出する突出部位１５Ａに引っ掛かる（介在する）ので、クランパ４０及びクランパ４０が外嵌されたクランパピン３０の−Ｚ側への移動が規制される。
【００３９】
図１０は、ロックナット５０を示す図である。
ロックナット５０は、外周面にＭ２．５の外ネジ５１、内周面にＭ１の内ネジ５２を有する、リング形の部材であり、チタンまたはチタン合金により形成される。外ネジ５１、内ネジ５２のネジ寸法などは、内ネジ２５、外ネジ３２に対応して、適宜変更可能である。
ロックナット５０の−Ｚ側の端面には、背向かつ平行な二面を有する一対のレンチ溝５３が設けられる。このレンチ溝５３の平行二面に、不図示のジグ（レンチ）を係合して、ロックナット５０を回転させることが可能となっている。
そして、外ネジ５１は、アバットメント２０の貫通孔２４の一部に形成された内ネジ２５に螺合する。内ネジ５２は、クランパピン３０の他端側（−Ｚ側）に形成された外ネジ３２に螺合する。したがって、インプラント５を組み立てた状態で、ロックナット５０を右回転させると、アバットメント２０に対してクランパピン３０を−Ｚ側に移動させることができる。
【００４０】
インプラント５の組み立ては、以下の手順に従って行われる（インプラント治療の二回法）。
まず、予めインプラント体１０を患者の歯槽骨２に埋入した後、歯茎４を縫い合わせる。そして、歯槽骨２とインプラント体１０を、個人差もあるが、３〜６ヶ月程度かけて骨密着させる。
【００４１】
インプラント体１０とは別に、アバットメント２０側を組み立てる。すなわち、アバットメント２０、クランパピン３０、クランパ４０及びロックナット５０により、アバットメント体８を組み立てる。なお、アバットメント体８は、組み立てた形態で販売（譲渡）され、流通する。
【００４２】
まず、クランパ４０をクランパピン３０に外嵌する。
次に、アバットメント２０に対してロックナット５０を取り付ける。すなわち、アバットメント２０の貫通孔２４の一部に形成された内ネジ２５に、ロックナット５０の外ネジ５１を螺合する。
【００４３】
次いで、クランパピン３０をアバットメント２０の貫通孔２４の＋Ｚ側から挿入する。そして、クランパピン３０の他端側（−Ｚ側）が、アバットメント２０に取り付けたロックナット５０に当接したら、クランパピン３０を右回転させて、クランパピン３０の外ネジ３２をロックナット５０の内ネジ５２に螺合する。そして、クランパピン３０に外嵌したクランパ４０の他端側（−Ｚ側）が、アバットメント２０の−Ｚ側の端部に当接する直前まで、クランパピン３０を右回転させる。
これにより、アバットメント体８の組み立てが完了する。
【００４４】
そして、患者の歯槽骨２に埋入したインプラント体１０の中心穴１３にアバットメント体８を挿入する。これにより、アバットメント２０のテーパー軸部２２は、インプラント体１０の中心穴１３のテーパー穴部１４に楔状に嵌め込まれる。
また、クランパピン３０の一端側（＋Ｚ側）の係合部３１がインプラント体１０の中心穴１３の最底部（＋Ｚ側）の係合穴部１６に差し込まれる。つまり、クランパピン３０の係合部３１の平行二面３１Ｂとインプラント体１０の係合穴部１６の平行二面１６Ａが密着（嵌合）する。
【００４５】
次に、不図示のジグをロックナット５０のレンチ溝５３に嵌めて右回転させる。これにより、ロックナット５０は、＋Ｚ方向に回転しながら移動する。これと同時に、クランパピン３０が−Ｚ方向に移動する。
この際、ロックナット５０の外ネジ５１と内ネジ５２のピッチに差があるので（Ｍ２．５：０．３５Ｐ、Ｍ１：０．２Ｐ）、ロックナット５０の＋Ｚ方向への移動量に比べて、クランパピン３０の−Ｚ方向への移動量が大きくなる。
また、クランパピン３０の係合部３１がインプラント体１０の係合穴部１６に差し込まれ、係合部３１の平行二面３１Ｂと係合穴部１６の平行二面１６Ａが密着（嵌合）しているので、クランパピン３０の回転は規制される。このため、クランパピン３０は、ロックナット５０と共に連れ回ることがなく、−Ｚ方向に移動する。
【００４６】
そして、クランパピン３０を−Ｚ方向に移動させると、クランパピン３０に外嵌したクランパ４０の他端側（−Ｚ側）がアバットメント２０の＋Ｚ側の端部に当接して、クランパ４０の＋Ｚ方向への移動が規制される。
さらにクランパピン３０を＋Ｚ方向に移動させると、クランパ４０の内周側にクランパピン３０の係合部３１のテーパー部位３１Ａに差し込まれる（クランパ４０がテーパー部位３１Ａに乗り上がる）。これにより、クランパ４０の＋Ｚ側の３本の櫛歯４１が外周側に向けて弾性変形して広がる。
したがって、クランパ４０がインプラント体１０の中心穴１３の逆テーパー穴部１５の上端において内周側に突出する突出部位１５Ａに引っ掛かり、クランパ４０及びクランパピン３０の−Ｚ側への移動が規制される。
【００４７】
そして、クランパ４０及びクランパピン３０の−Ｚ側への移動が規制された状態で、ロックナット５０を更に右回転させる。これにより、アバットメント２０が＋Ｚ方向に移動する。つまり、アバットメント２０がインプラント体１０に向けてさらに移動して、アバットメント２０のテーパー軸部２２がインプラント体１０の中心穴１３のテーパー穴部１４に更に楔状に食い込む。
【００４８】
このようにして、インプラント５がガタツキなく強靭に組み立てられる。
その後に、インプラント５のアバットメント２０の−Ｚ側の外周面に接着剤等を用いて人工歯冠６を装着する。
【００４９】
上述したように、インプラント５では、テーパー軸部２２とテーパー穴部１４を嵌合する（差し込む）ことで、アバットメント２０に作用する外力、すなわち咬合圧Ｆを受け止める耐圧機構６０として機能させることができる（図１参照）。
特に、耐圧機構６０は、テーパー軸部２２とテーパー穴部１４のＺ方向の長さが従来よりも十分に長いので、咬合圧Ｆを受け止める面積が大きくなり、高い耐圧性能を備える。したがって、アバットメント２０に対して、Ｚ軸方向に対して交差する方向から咬合圧Ｆを受ける場合（インプラント５を前歯に使用する場合）においても、咬合圧Ｆを確実に受け止めるので、アバットメント２０やインプラント体１０に亀裂が発生したり、欠けたりすることがない。
【００５０】
また、アバットメント２０をインプラント体１０の中心穴１３に挿入する際に、インプラント体１０の中心穴１３のテーパー穴部１４の内周側面に形成された５本の突起１７が、アバットメント２０のテーパー軸部２２の外周側面に形成された５本の溝部２３に差し込まれる。
このように、テーパー穴部１４の内周側面の突起１７とテーパー軸部２２の外周側面の溝部２３が噛合うので、インプラント体１０に対するアバットメント２０の回転が規制される。つまり、テーパー穴部１４の突起１７とテーパー軸部２２の溝部２３が回転防止機構７０として機能する。
【００５１】
言い換えれば、インプラント５では、咬合圧Ｆを受け止める耐圧機構６０（テーパー軸部２２とテーパー穴部１４）と回転防止機構７０（突起１７と溝部２３）を一体的に形成しているので、従来よりも咬合圧Ｆを受け止める耐圧機構６０を長く（深く）形成することができる。具体的には、耐圧機構６０（テーパー軸部２２とテーパー穴部１４）の長さを、インプラント体１０の全長の１／３以上の長さにすることができる。
したがって、インプラント５は、アバットメント２０やインプラント体１０に亀裂や欠けが発生することなく、強い咬合圧Ｆを確実に受け止めることができる。
【００５２】
なお、本発明の技術範囲は、上述した実施形態に限定されるものではなく、本発明の趣旨を逸脱しない範囲において、上述した実施形態に種々の変更を加えたものを含む。すなわち、実施形態で挙げた具体的な材料や層構成などはほんの一例に過ぎず、適宜変更が可能である。
【００５３】
例えば、実施形態では、インプラント体１０、アバットメント２０を構成する生体適合性セラミックス材料としてジルコニア（酸化ジルコニウム）を採用したが、アルミナ（酸化アルミニウム）や酸化イットリウム、酸化ハフニウム、酸化シリコーン、酸化マグネシウム、酸化セリウム等を採用してもよい。
なお、インプラント体１０、アバットメント２０は、チタンやチタン合金等の金属材料で形成してもよい。
【００５４】
また、実施形態では、クランパ４０を構成する金属材料として生体親和性に優れたチタンを採用したが、チタン合金を採用してもよい。チタン合金として、例えばチタンとアルミニウムとの合金を採用することができる。また、クランパ４０を、樹脂(ゴム)などの弾性体材料で形成してもよい。
また、クランパの櫛歯４１の本数は３本の場合に限らない。２本の場合や４本以上でもよい。
【００５５】
インプラント体１０の係合穴部１６とクランパピン３０の係合部３１にそれぞれ平行二面１６Ａ，３１Ｂを形成して嵌合する場合について説明したが、平行二面１６Ａ，３１Ｂに代えて、多角形穴部と多角形軸部にしてもよい。
【００５６】
また、本発明のインプラント５は、歯科治療に用いる場合に限らない。インプラント５を使用した骨折治療方法や、インプラント５を人工関節に使用してもよい。
【符号の説明】
【００５７】
５…インプラント、  ８…アバットメント体、  １０…インプラント体、  １２…雄ネジ、  １３…中心穴、  １４…テーパー穴部（嵌合穴部）、  １５…逆テーパー穴部、  １５Ａ…突出部位（抜け止め穴部）、  １６…係合穴部、  １６Ａ…平行二面（連れ回り規制穴部）、  １７…突起（突出部）、  ２０…アバットメント、  ２１…本体部、  ２２…テーパー軸部（嵌合軸部）、  ２３…溝部、  ２４…貫通孔、  ２５…内ネジ、  ３０…クランパピン、  ３１…係合部、  ３１Ａ…テーパー部位（抜け止め軸部）、  ３１Ｂ…平行二面（連れ回り規制軸部）、  ３２…外ネジ、  ４０…クランパ、  ４１…櫛歯、  ５０…ロックナット、  ５１…外ネジ、  ５２…内ネジ、  ５３…レンチ溝、  ６０（１４，２２）…耐圧機構、  ７０（１７，２３）…回転防止機構、  Ｆ…咬合圧
【図１】
0005688575.tif 000002
【図２】
0005688575.tif 000003
【図３】
0005688575.tif 000004
【図４】
0005688575.tif 000005
【図５】
0005688575.tif 000006
【図６】
0005688575.tif 000007
【図７】
0005688575.tif 000008
【図８】
0005688575.tif 000009
【図９】
0005688575.tif 000010
【図１０】
0005688575.tif 000011